(57)【特許請求の範囲】
【請求項１】
本体に、手を挿入できる空間を有する手乾燥室と、前記手乾燥室内に向かって噴流を吹き出して且つノズルを可動させて噴流方向を変化することができる可動ノズルユニットと、前記ノズルに空気を送る吹出ダクトと、前記吹出ダクトに空気を圧送する送風装置を有し、前記手乾燥室に面して且つ前記可動ノズルユニットの可動部分と前記手乾燥室を構成する壁面との境界部分を覆うカバーを設置した手乾燥装置。
【請求項２】
手乾燥室は、少なくとも上方から手挿入できるように開口を有し、可動ノズルユニットはノズルを水平方向に往復運動させて噴流方向を変化させ、且つ前記可動ノズルユニットは前記手乾燥室の壁面側及びその対面側に噴流が対向するように配置した構成であって、カバーは両側の可動ノズルユニットそれぞれに設置した請求項１に記載の手乾燥装置。
【請求項３】
カバーはノズルより上方の上部境界部分と、ノズルより下方の下部境界部分の少なくとも一方に設置した請求項１または２のいずれか１項に記載の手乾燥装置。
【請求項４】
カバーはノズルに近づくにつれて手乾燥室の内側に向かうように傾斜を備えた請求項１または２のいずれか１項に記載の手乾燥装置。
【請求項５】
下部境界部分に設置したカバーの一部に、手乾燥室の内側に向かう凸状の壁部を備えた請求項３または請求項４のいずれか１項に記載の手乾燥装置。
【請求項６】
カバーを着脱可能に構成した請求項１から請求項５のいずれか１項に記載の手乾燥装置。
【発明の詳細な説明】
【技術分野】
【０００１】
本発明は、トイレ等に設置され、濡れた手に噴流を当てて乾燥させる手乾燥装置に関するものである。
【背景技術】
【０００２】
従来、ノズルを可動させることにより手乾燥性能を向上させた手乾燥装置は、例えば特許文献１に記載するような方法が提案されている。
【０００３】
図４に示すように、本体１０１に、本体１０１の前面から手を挿入できる空間を有する手乾燥室１０２と、手乾燥室１０２に挿入された手に噴流を当て、且つ噴流の方向を本体１０１の前面から奥行き方向に向かって変化させることができる可動ノズル１０３と、可動ノズル１０３に高圧空気を供給する送風装置１０４を備えている。
【先行技術文献】
【特許文献】
【０００４】
【特許文献１】特開２００４−３２１４８５号公報
【発明の概要】
【発明が解決しようとする課題】
【０００５】
このような従来の手乾燥装置では、手乾燥をすばやく行うために、ノズルを可動させて手に噴流を効率良く当てるようにした手乾燥装置は、ノズルの可動部と手乾燥室を構成する壁面との境界部に手から飛散した水滴が付着して水汚れが発生し、不衛生であるという課題を有していた。
【０００６】
そこで本発明は、このような従来の課題を解決するものであり、可動するノズルの可動部分と手乾燥室を構成する壁面との境界部分への水滴の付着を防止することができる手乾燥装置を提供することを目的としている。
【課題を解決するための手段】
【０００７】
この目的を達成するために、本発明の手乾燥装置は、本体に、手を挿入できる空間を有する手乾燥室と、前記手乾燥室内に向かい、且つノズルを可動させて噴流方向を変化することができる可動ノズルユニットと、前記ノズルに空気を送る吹出ダクトと、前記吹出ダクトに空気を圧送する送風装置を有し、前記手乾燥室に面して且つ前記可動ノズルユニットの可動部分と前記手乾燥室を構成する壁面との境界部分を覆うカバーを設置したものである。この手段により可動ノズルユニットの可動部分と手乾燥室を構成する壁面との境界部分への水滴の付着を防止することができる手乾燥装置が得られる。
【発明の効果】
【０００８】
本発明によれば可動ノズルユニットの可動部分と手乾燥室を構成する壁面との境界部分への水滴の付着を防止することにより水汚れを防止し、衛生的な手乾燥装置を提供できる。
【０００９】
また、カバーにより可動部分の一部を覆うため、外部に露出した可動部分の面積を小さくできることから、外部からの侵入した異物と可動部分との衝突を防止することができ、可動部分の破損や動作不良を生じにくくすることができるという効果がある。
【図面の簡単な説明】
【００１０】
【図１】本発明の実施の形態１の手乾燥装置の構成を示す断面斜視図
【図２】同手乾燥装置の可動ノズルユニットの構成を示す断面斜視図
【図３】同手乾燥装置のカバーの形状を示す断面図
【図４】従来の手乾燥装置の構成を示す断面図
【発明を実施するための形態】
【００１１】
本発明の請求項１記載の手乾燥装置は、本体に、手を挿入できる空間を有する手乾燥室と、前記手乾燥室内に向かい、且つノズルを可動させて噴流方向を変化することができる可動ノズルユニットと、前記ノズルに空気を送る吹出ダクトと、前記吹出ダクトに空気を圧送する送風装置を有し、前記手乾燥室に面して且つ前記可動ノズルユニットの可動部分と前記手乾燥室を構成する壁面との境界部分を覆うカバーを設置したものであり、手に付着した水滴が飛散して直接付着すること、及び手乾燥室を構成する壁面に付着した水滴が移動することにより、可動ノズルユニットの可動部分と手乾燥室を構成する壁面との境界部分に水滴が付着すると水アカなどの汚れの原因となり、不衛生となるため、境界部分にカバーを設置することにより、境界部分に水滴が付着することを防止することができるという作用を有する。
【００１２】
また、本発明の請求項２記載の手乾燥装置は、手乾燥室は、少なくとも上方から手挿入できるように開口を有し、可動ノズルユニットはノズルを水平方向に往復運動させて噴流方向を変化させ、且つ前記可動ノズルユニットは前記手乾燥室の壁面側及びその対面側に噴流が対向するように配置した構成であって、カバーは両側の可動ノズルユニットそれぞれに設置したものであり、手から飛散する水滴や手乾燥室を構成する壁面に付着した水滴は、手乾燥室の壁面側及びその対向側両面に設置した可動ノズルユニットに付着するため、両側いずれの可動ノズルユニットの境界部分にカバーを設けることにより、境界部分に水滴が付着することを防止することができるという作用を有する。
【００１３】
また、本発明の請求項３記載の手乾燥装置は、カバーはノズルより上方の上部境界部分と、ノズルより下方の下部境界部分の少なくとも一方に設置したものであり、いずれの境界部分にもカバーを設置することにより、境界部分に水滴が付着することを防止することができるという作用を有する。
【００１４】
また、本発明の請求項４記載の手乾燥装置は、カバーはノズルに近づくにつれて手乾燥室の内側に向かうように傾斜を備えたものであり、カバーの表面に付着した水滴が可動ノズルユニットの可動部分に極力付着しないようにすることができる。さらに詳細に説明すると、上部境界部分に設置したカバーにおいては、カバー表面に付着した水滴が下方に向かって流れ落ちる際に、水滴は上部境界部分から遠ざかる位置となるため、上部境界部分へ水滴が付着しにくくすることができる。また、下部境界部分に設置したカバーにおいては、カバー表面に付着した水滴が手乾燥室内の風の乱れ等によって上方に吹き上がってきた場合に、前述の上部境界部分に設置したカバーと同様に、水滴は下部境界部分から遠ざかる位置となるため、下部境界部分へ水滴が付着しにくくすることができるという作用を有する。
【００１５】
また、本発明の請求項５記載の手乾燥装置は、下部境界部分に設置したカバーの一部に、手乾燥室の内側に向かう凸状の壁部を備えたものであり、カバーの表面に付着した水滴が、手乾燥室内の風の乱れ等によって吹き上がってきた場合に、上方に向かって移動してくる水滴を堰き止めることができ、水滴が下部境界部分に付着することを防止することができるという作用を有する。
【００１６】
また、本発明の請求項６記載の手乾燥装置は、カバーを着脱可能に構成したものであり、清掃などのお手入れをし易くすることができるという作用を有する。
【００１７】
以下、本発明の実施の形態について、図面を参照しながら説明する。
【００１８】
（実施の形態１）
図１に実施の形態１の手乾燥装置の構成を示す断面斜視図を示して説明する。
【００１９】
壁面に固定された本体１は、使用者が濡れた手を挿入できる空間としての手乾燥室２を備えており、挿入された手に対して噴流を当てるため、手乾燥室２内に向かって噴流を吹き出す円筒状のノズル３を複数配列し、手の挿入方向に対して略垂直方向に往復運動するように構成した可動ノズルユニット４を備えている。
【００２０】
可動ノズルユニット４は、手乾燥室２内の対向する面にそれぞれ備えている。
【００２１】
また、本体１の内部には高圧空気を発生する送風装置５として例えば高速ターボブロワを備え、送風装置５より送風される空気流をノズル３に案内する吹出ダクト６を備えている。
【００２２】
一方、本体１の下面には外部から空気を取り入れる吸込口７と、吸込口７から送風装置５に外部から取り入れた空気を案内する吸込ダクト８を備えることにより、吸込口７から送風装置５を経由してノズル３まで空気の送風が可能となっている。
【００２３】
以下、可動ノズルユニット４について説明する。
【００２４】
図２に示すように、ノズル３は根元が自由端となるように弾性体（一例としてシリコン）で形成し、空気を漏れなく案内しつつノズル３が外部からの力によって傾斜可能に構成している。ノズル３の近傍にはノズル３を往復運動させる板状の案内板９が複数のローラ１０によって直線運動可能に支持され、案内板９に設けられた複数の開口穴１１にノズル３を貫通させることにより、案内板９が往復運動した際には開口穴１１とノズル３が干渉し、ノズル３は案内板９の往復運動方向に繰り返し傾斜する構成となっている。さらに、モータ回転軸１２（図では破線）を有したモータ１３（一例としてＤＣモータ）と、モータ回転軸１２に対して偏心した軸を有するクランク１４を備え、クランク１４と案内板９をリンク１５により回転自在に連結することにより、モータ１３の回転運動を案内板９の往復運動に変換するクランク１４機構となっている。
【００２５】
また、可動ノズルユニット４は、ノズル３の出口近傍に備えて且つノズル３と連動して往復運動する防水シート１６を手乾燥室２の壁面２６と近接した位置に設置することにより本体１内部への水滴の侵入を防止している。
【００２６】
また、本体１内には送風装置５及びモータ１３の運転を制御する制御手段１７（一例としてマイコンを搭載した回路基板）が設置され、手乾燥室２内には手が挿入されたことを検知して制御手段１７に検知信号を送る手検知手段１８（一例として赤外線センサ）が設置されている。
【００２７】
また、手乾燥室２に挿入された手から分離した水滴を回収するため、手乾燥室２の底面に開口させた穴からドレンパイプ１９が接続され、本体１の下面に設置された水受け２０まで水を案内している。
【００２８】
これらの構成により、手乾燥の一連の状況について説明する。
【００２９】
図１、図２に示すように、使用者が手乾燥室２内に手を挿入すると、手検知手段１８が手を検知して制御手段１７に検知信号を送り、制御手段１７によって送風装置５及びモー
タ１３を運転させる。送風装置５により発生する空気流により吸込口７から外気を取り込み、吸込ダクト８を経由して送風装置５まで空気が供給され、送風装置５により昇圧されて高圧となった空気は吹出ダクト６からノズル３に案内されて手乾燥室２内に噴射される。また、モータ１３が回転することによりノズル３が往復運動し、ノズル３から噴射される噴流が往復運動することにより、手に万遍なく噴流が当たることで乾燥ムラをなくし、且つ高い速乾性を有している。
【００３０】
ここで、手から分離した水滴は、手乾燥室２の内部で且つ四方に飛散するため、飛散した水滴は手乾燥室２を構成する壁面２６や可動ノズルユニット４の可動部分としての防水シート１６に付着する。
【００３１】
大量に付着した水滴は重力により手乾燥室２を構成する壁面２６を流れ落ちてドレンパイプ１９から排水されるが、細かな水滴は付着したまま留まり、そのまま自然乾燥するため、水滴内に含まれていた汚れ（例えば粉塵や皮脂、石鹸成分など）が表面に残って固着した状態となり、不衛生となってしまう。
【００３２】
定期的なメンテナンスにより、手乾燥室２を構成する壁面２６や、防水シート１６の表面に付着した汚れはふき取れるが、手乾燥室２を構成する壁面２６と可動ノズルユニット４の可動部分としての防水シート１６との境界部分２１に付着した汚れは容易に取り除くことができない。
【００３３】
したがって、汚れが残ることで不衛生になることが課題となっている。
【００３４】
本発明の実施の形態１では、手乾燥室２を構成する壁面２６と可動ノズルユニット４の可動部分としての防水シート１６との境界部分２１を覆うカバー２２を手乾燥室２内に設置することにより、境界部分２１に水滴が付着することを防止することで、汚れの発生を抑制し、衛生的な手乾燥装置を提供することができるとともに、可動するノズル３や防水シート１６の一部がカバー２２で覆われることによって可動部分の露出が少なくなり、外部からの侵入した異物と可動部分との衝突を防止することができ、可動部分の破損や動作不良を生じにくくすることができるという効果がある。
【００３５】
また、手乾燥室２の対向する壁面２６それぞれに設置された可動ノズルユニット４にカバー２２を設置することで、それぞれの境界部分２１に水滴が付着することを防止することができる。
【００３６】
さらに、図３に示すように、境界部分２１のうち、防水シート１６の上部と壁面２６との上部境界部分２３と、防水シート１６の下部と壁面２６との下部境界部分２４のそれぞれにカバー２２を設置することで、より汚れが付着しにくくすることができ、同様の効果が得られる。
【００３７】
ここで、カバー２２の形状を工夫することで、境界部分２１への水滴の付着をより効果的に抑制することができるため、以下に詳細を説明する。
【００３８】
カバー２２の設置により手から分離した水滴は、カバー２２の表面にも付着する。カバー２２の表面に付着した水滴は、重力により下方に流れようとするが、手乾燥室２内の風の流れ方向によっては上方に吹き上がる動きをすることがある。
【００３９】
その際、下部境界部分２４を覆うカバー２２については、表面の水滴が上方に吹き上がると、可動部分に近づき、カバー２２の上端まで移動した水滴は防水シート１６や下部境界部分２４に向かって飛散する恐れがある。
【００４０】
したがって、本発明の実施の形態１では、カバー２２の表面形状をノズル３に近づくにつれて手乾燥室２の内側に向かうように傾斜をつけている。この傾斜により、カバー２２表面に付着した水滴が手乾燥室２内の風の乱れ等によって上方に吹き上がってきた場合に、水滴は下部境界部分２４から遠ざかる位置となるため、下部境界部分２４へ水滴が付着しにくくすることができる。
【００４１】
一方、上部境界部分２３に設置したカバー２２においても上記の傾斜は有効であり、カバー２２表面に付着した水滴が下方に向かって流れ落ちる際に、水滴は上部境界部分２３から遠ざかる位置となるため、上部境界部分２３へ水滴が付着しにくくすることができ、同様の効果が得られる。また、傾斜はＲ形状であっても同様の効果がある。
【００４２】
さらに、下部境界部分２４に設置したカバー２２の一部に、手乾燥室２の内側に向かう凸状の壁部２５を設置することにより、カバー２２の表面に付着した水滴が、手乾燥室２内の風の乱れ等によって吹き上がってきた場合に、上方に向かって移動してくる水滴を堰き止めることで水滴が下部境界部分２４に侵入することを防止することができ、同様の効果が得られる。
【００４３】
また、カバー２２を着脱可能にすることで、清掃などのお手入れをし易くすることができ、衛生的な手乾燥装置を提供することができる。
【産業上の利用可能性】
【００４４】
本発明にかかる手乾燥装置は、噴流を用いて液体を吹き飛ばして乾燥させる乾燥装置に適用できる。
【符号の説明】
【００４５】
１    本体
２    手乾燥室
３    ノズル
４    可動ノズルユニット
５    送風装置
６    吹出ダクト
７    吸込口
８    吸込ダクト
９    案内板
１０  ローラ
１１  開口穴
１２  モータ回転軸
１３  モータ
１４  クランク
１５  リンク
１６  防水シート
１７  制御手段
１８  手検知手段
１９  ドレンパイプ
２０  水受け
２１  境界部分
２２  カバー
２３  上部境界部分
２４  下部境界部分
２５  壁部
２６  壁面
【図１】
0005625330.tif 000002
【図２】
0005625330.tif 000003
【図３】
0005625330.tif 000004
【図４】
0005625330.tif 000005